【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
操作に応じてオン状態あるいはオフ状態のいずれかに設定される第１および第２の操作子と、
指定音高の発音指示あるいは指定音高の消音指示を発生する指示手段と、
前記指示手段が発音指示した時に、前記第２の操作子がオフ状態に設定されている場合には指定音高の第１の楽音を発音し、前記第２の操作子がオン状態に設定されている場合には指定音高の第２の楽音を発音する発音手段と、
前記指示手段が消音指示した時に前記第１の操作子がオフ状態に設定されている場合には、前記発音手段にて発音される第１および第２の楽音の内で指定音高の楽音を消音する第１の消音手段と、
前記指示手段が消音指示した時に前記第１の操作子がオン状態に設定されている場合には、前記発音手段にて発音される第１の楽音の発音を持続させ、前記第１の操作子がオン状態からオフ状態に状態遷移した場合に、前記発音持続されている第１の楽音を消音する第２の消音手段と
を具備することを特徴とする電子楽器。
【請求項２】
操作に応じてオン状態あるいはオフ状態のいずれかに設定される第１および第２の操作子と、
指定音高の発音指示あるいは指定音高の消音指示を発生する指示手段と、
前記指示手段が発音指示した時に、前記第２の操作子がオフ状態に設定されている場合には指定音高の第１の楽音を発音し、前記第２の操作子がオン状態に設定されている場合には指定音高の第２の楽音を発音する発音手段と、
前記発音手段にて発音される第２の楽音が発音を開始してから一定時間後に当該第２の楽音を消音する第１の消音手段と、
前記指示手段が消音指示した時に前記第１の操作子がオフ状態に設定されている場合には、指定音高の第１の楽音を消音する第２の消音手段と、
前記指示手段が消音指示した時に前記第１の操作子がオン状態に設定されている場合には、前記発音手段にて発音される第１の楽音の発音を持続させ、前記第１の操作子がオン状態からオフ状態に状態遷移した場合に、前記発音持続されている第１の楽音を消音する第３の消音手段と
を具備することを特徴とする電子楽器。
【請求項３】
前記第１および第２の操作子の操作状態を一つのペダル操作子の操作で設定する手段であって、その踏み込み量に応じて、前記第１および第２の操作子のそれぞれのオン状態およびオフ状態を設定する状態設定手段を具備することを特徴とする請求項１乃至２のいずれかに記載の電子楽器。
【請求項４】
押圧操作に応答して楽音の発音を指示し、押圧操作の解除に応答して楽音の消音を指示する第１の操作子と、
押圧操作された時に新たな楽音の発音を指示することなく、その押圧操作が第１の状態にある時には、前記第１の操作子への押圧操作に応答して発音されている楽音を、前記第１の操作子への押圧操作解除後も持続して発音するように指示する第２の操作子と
を有する電子楽器において、
前記第２の操作子の押圧操作が第２の状態にある時には、前記発音を持続するように既に指示されている楽音の状態を保持しつつ、前記第１の操作子への押圧操作に応答して新たに発音される楽音に対しては、前記第１の操作子への押圧操作解除後の発音の持続を指示しない
ことを特徴とする電子楽器。  
【手続補正２】
【補正対象書類名】明細書
【補正対象項目名】０００６
【補正方法】変更
【補正の内容】
【０００６】
上記目的を達成するため、請求項１に記載の発明では、操作に応じてオン状態あるいはオフ状態のいずれかに設定される第１および第２の操作子と、指定音高の発音指示あるいは指定音高の消音指示を発生する指示手段と、前記指示手段が発音指示した時に、前記第２の操作子がオフ状態に設定されている場合には指定音高の第１の楽音を発音し、前記第２の操作子がオン状態に設定されている場合には指定音高の第２の楽音を発音する発音手段と、前記指示手段が消音指示した時に前記第１の操作子がオフ状態に設定されている場合には、前記発音手段にて発音される第１および第２の楽音の内で指定音高の楽音を消音する第１の消音手段と、前記指示手段が消音指示した時に前記第１の操作子がオン状態に設定されている場合には、前記発音手段にて発音される第１の楽音の発音を持続させ、前記第１の操作子がオン状態からオフ状態に状態遷移した場合に、前記発音持続されている第１の楽音を消音する第２の消音手段とを具備することを特徴とする。
【手続補正３】
【補正対象書類名】明細書
【補正対象項目名】０００７
【補正方法】変更
【補正の内容】
【０００７】
請求項２に記載の発明では、操作に応じてオン状態あるいはオフ状態のいずれかに設定される第１および第２の操作子と、指定音高の発音指示あるいは指定音高の消音指示を発生する指示手段と、前記指示手段が発音指示した時に、前記第２の操作子がオフ状態に設定されている場合には指定音高の第１の楽音を発音し、前記第２の操作子がオン状態に設定されている場合には指定音高の第２の楽音を発音する発音手段と、前記発音手段にて発音される第２の楽音が発音を開始してから一定時間後に当該第２の楽音を消音する第１の消音手段と、前記指示手段が消音指示した時に前記第１の操作子がオフ状態に設定されている場合には、指定音高の第１の楽音を消音する第２の消音手段と、前記指示手段が消音指示した時に前記第１の操作子がオン状態に設定されている場合には、前記発音手段にて発音される第１の楽音の発音を持続させ、前記第１の操作子がオン状態からオフ状態に状態遷移した場合に、前記発音持続されている第１の楽音を消音する第３の消音手段とを具備することを特徴とする。
【手続補正４】
【補正対象書類名】明細書
【補正対象項目名】０００８
【補正方法】変更
【補正の内容】
【０００８】
上記請求項１〜２のいずれかに従属する請求項３に記載の発明では、前記第１および第２の操作子の操作状態を一つのペダル操作子の操作で設定する手段であって、その踏み込み量に応じて、前記第１および第２の操作子のそれぞれのオン状態およびオフ状態を設定する状態設定手段を具備することを特徴とする。
【手続補正５】
【補正対象書類名】明細書
【補正対象項目名】０００９
【補正方法】変更
【補正の内容】
【０００９】
請求項４に記載の発明では、押圧操作に応答して楽音の発音を指示し、押圧操作の解除に応答して楽音の消音を指示する第１の操作子と、押圧操作された時に新たな楽音の発音を指示することなく、その押圧操作が第１の状態にある時には、前記第１の操作子への押圧操作に応答して発音されている楽音を、前記第１の操作子への押圧操作解除後も持続して発音するように指示する第２の操作子とを有する電子楽器において、前記第２の操作子の押圧操作が第２の状態にある時には、前記発音を持続するように既に指示されている楽音の状態を保持しつつ、前記第１の操作子への押圧操作に応答して新たに発音される楽音に対しては、前記第１の操作子への押圧操作解除後の発音の持続を指示しないことを特徴とする。
【手続補正６】
【補正対象書類名】明細書
【補正対象項目名】００１１
【補正方法】変更
【補正の内容】
【００１１】
請求項２に記載の発明では、発音指示した時に第２の操作子がオフ状態に設定されていれば、指定音高の第１の楽音を発音し、一方、第２の操作子がオン状態に設定されていれば、指定音高の第２の楽音を発音すると共に、この第２の楽音を一定時間後に消音する。そして、消音指示した時に第１の操作子がオフ状態に設定されていれば、指定音高の第１の楽音を消音し、一方、第１の操作子がオン状態に設定されていれば、第１の楽音の発音を持続させておき、第１の操作子がオン状態からオフ状態に状態遷移した時に、その持続発音を消音する。
したがって、第１の操作子（ダンパーペダル２ｂ）をオン状態に設定して第１の楽音を発音持続させるサステイン効果を付与しながら、第２の操作子（ノンレガートペダル２ｃ）をオン状態に設定して発音指示／消音指示（押離鍵操作）を行うと、離鍵された音を持続させたままの状態で新たに押鍵する音を弾くことが出来たり、また発音持続させる音についても、両手で一度に弾ける音の数もしくはそれらの音域（オクターブ幅）に制約を受けることが無いので、多彩な奏法を簡単な演奏操作で実現することができる。
【手続補正７】
【補正対象書類名】明細書
【補正対象項目名】００１２
【補正方法】変更
【補正の内容】
【００１２】
請求項３に記載の発明によれば、第１および第２の操作子の各操作状態を一つのペダル操作子の操作で設定することができる。例えば、ペダル操作子の踏み込み量が第１の閾値まで踏み込まれていなければ、第１の操作子をオフ状態に設定し、ペダル操作子の踏み込み量が第１の閾値を超えて第２の閾値未満であると、第１の操作子をオン状態に、第２の操作子をオフ状態にそれぞれ設定し、さらにペダル操作子の踏み込み量が第２の閾値を超えた場合には、第１および第２の操作子を共にオン状態に設定する。
したがって、ペダル操作子を浅く踏んで（第１の閾値以上、第２の閾値未満）第１の楽音を発音持続させるサステイン効果を付与しながら、さらにペダル操作子を深く踏んで（第２の閾値以上）鍵操作を行えば、離鍵された音を持続させたままの状態で新たに押鍵する音をスタッカートで弾くことが出来たり、また発音持続させる音についても、両手で一度に弾ける音の数もしくはそれらの音域（オクターブ幅）に制約を受けることが無いので、多彩な奏法を簡単な演奏操作で実現できるようになる。
【手続補正８】
【補正対象書類名】明細書
【補正対象項目名】００１３
【補正方法】変更
【補正の内容】
【００１３】
請求項４に記載の発明では、第２の操作子の押圧操作が第１の状態にあれば、第１の操作子への押圧操作に応答して発音されている楽音を、その第１の操作子への押圧操作が解除された後も持続発音させる。そして、第２の操作子の押圧操作が第２の状態にあれば、既に持続発音されている楽音の状態をそのまま保持しながら、第１の操作子への押圧操作に応答して新たに発音される楽音は、第１の操作子への押圧操作が解除された後に持続発音させない。
したがって、第２の操作子（ペダル）を第１の状態（ダンパーペダル２ｂをオン状態）に設定して楽音を発音持続させるサステイン効果を付与しながら、第２の操作子を第２の状態（ノンレガートペダル２ｃをオン状態）に設定して第１の操作子（鍵盤１）で発音指示／消音指示（押離鍵操作）を行えば、離鍵された音を持続させたままの状態で新たに押鍵する音を弾くことが出来たり、また発音持続させる音についても、両手で一度に弾ける音の数もしくはそれらの音域（オクターブ幅）に制約を受けることが無いので、多彩な奏法を簡単な演奏操作で実現できるようになる。
【手続補正９】
【補正対象書類名】明細書
【補正対象項目名】００４３
【補正方法】変更
【補正の内容】
【００４３】
一方、ダンパーペダル２ｂがペダルオフ状態であると、上記ステップＳＦ１６の判断結果が「ＹＥＳ」になり、離鍵された鍵の鍵番号ｋで指定されるオンフラグＯＮＦ（ｋ）をゼロリセットする。そして、ステップＳＦ１８では、離鍵された鍵の鍵番号ｋに対応する音高の楽音を消音させるノートオフイベントを作成し、続くステップＳＦ８（図７参照）では、作成したノートオフイベントを消音指示コマンドとして音源８に送出する。これにより、音源８では、離鍵された鍵の鍵番号ｋに対応する音高の楽音を消音する。したがって、ダンパーペダル２ｂがペダルオフ状態の時には、離鍵された鍵の鍵番号ｋに対応する音高の楽音を即座に消音させる。